(57)【要約】【課題】配管接続の作業性を向上できる開閉弁を提供する。【解決手段】被取付部１９に固定されるフランジ部２２と、一端に開口する第１開口部２１ａと他端に開口する第２開口部２１ｂとの間に屈曲した流路２１ｅを形成して第１開口部２１ａ及び第２開口部２１ｂにそれぞれ配管３１、３２が接続される本体部２１と、本体部２１内に配されて流路２１ｅを開閉する可動の可動体２６とを備えた開閉弁２０において、フランジ部２２が本体部２１と一体に設けられるとともに被取付部１９に当接する設置面２２ａを一面に有し、第１開口部２１ａが設置面２２ａから突出して設けられるとともに、第２開口部２１ｂに螺設して配管３２を固定するフレアナット２３の軸方向の中心線２３ａを設置面２２ａと同一面内に配置した。【選択図】図３
2011099636.tif 000002
【特許請求の範囲】
【請求項１】
被取付部に固定されるフランジ部と、一端に開口する第１開口部と他端に開口する第２開口部との間に屈曲した流路を形成して第１開口部及び第２開口部にそれぞれ配管が接続される本体部と、前記本体部内に配されて前記流路を開閉する可動の可動体とを備えた開閉弁において、前記フランジ部が前記本体部と一体に設けられるとともに前記被取付部に当接する設置面を一面に有し、第１開口部が前記設置面から突出して設けられるとともに、第２開口部に螺設して前記配管を固定するフレアナットの軸方向の中心線を前記設置面と同一面内に配置したことを特徴とする開閉弁。
【請求項２】
請求項１に記載の開閉弁を備え、内部に配された冷媒管を第１開口部に接続するとともに室内機から延伸される冷媒管を前記フレアナットにより第２開口部に接続することを特徴とする空気調和機の室外機。
【請求項３】
外装を形成するキャビネットを備えるとともに、前記被取付部が前記キャビネットの一面から脚部を有して突出して設けられ、前記フランジ部と前記フレアナットとの間に前記脚部を配したことを特徴とする請求項２に記載の空気調和機の室外機。
【発明の詳細な説明】
【技術分野】
【０００１】
本発明は、開閉弁及びそれを用いた空気調和機の室外機に関する。
【背景技術】
【０００２】
空気調和機の室外機に設けられる開閉弁は特許文献１に開示されている。図５はこの開閉弁の正面図を示している。また、図６は図５のＣ矢視図を示している。開閉弁２０は三方弁から成り、四方に延びる略十字型の本体部２１を有している。本体部２１は隣接する二方向の端部に第１開口部２１ａ及び第２開口部２１ｂを開口し、本体部２１内には第１開口部２１ａと第２開口部２１ｂとを連通させる屈曲した流路（不図示）が形成される。
【０００３】
第１開口部２１ａには室外機の内部に配された冷媒管から成る配管３１がロウ付等により接続される。第２開口部２１ｂには室内機から延伸される配管３２が第２開口部２１ｂに螺設したフレアナット２３により接続される。
【０００４】
本体部２１の外面には対向する二方向に突出するフランジ部２２が設けられる。フランジ部２２の一面の設置面２２ａが室外機の鉛直に配された側板等に設けられる被取付部１９に当接し、フランジ部２２を貫通するネジ３３が被取付部１９に螺合される。これにより、開閉弁２０が被取付部１９に取り付けられる。
【０００５】
第１開口部２１ａはフランジ部２２の設置面２２ａから図中、下方に突出して設けられる。第２開口部２１ｂはフランジ部２２の図中、上方に配され、右方に向かって開口する。
【０００６】
本体部２１の内部には第１開口部２１ａと第２開口部２１ｂとの間の流路を開閉する可動体（不図示）が設けられる。可動体は第１開口部２１ａに対向する第３開口部（不図示）から挿入され、第３開口部はキャップ２４を螺設して塞がれる。本体部２１の第２開口部２１ｂに対向する位置には真空引きを行うサービスポート（不図示）が開口し、キャップ２５を螺設して塞がれる。
【０００７】
上記構成の開閉弁２０において、第１開口部２１ａに室外機の内部の配管３１がロウ付され、フランジ部２２がネジ３３により被取付部１９に取付けられる。そして、フレアナット２３をスパナ等の工具３５により締付け、室内機から延伸される配管３２が取り付けられる。これにより、可動体により第１開口部２１ａと第２開口部２１ｂとの間の流路が開かれると、配管３１、３２内に開閉弁２０を介して冷媒が流通する。
【先行技術文献】
【特許文献】
【０００８】
【特許文献１】特開平９−１５２２３１号公報（第３頁−第４頁、第１図）
【発明の概要】
【発明が解決しようとする課題】
【０００９】
しかしながら、上記従来の開閉弁２０によると、工具３５によりフレアナット２３が強固に締付けられるため、フランジ部２２の図中、上方の本体部２１がフランジ部２２に対して傾倒する。これにより、本体部２１内に歪みが生じて流路を閉じる位置に配された可動体と本体部２１内の流路の内壁との間に隙間が形成され、冷媒漏れが発生する。このため、別のスパナ等の工具３６により本体部２１を支持しながら工具３５によりフレアナット２３の締付けを行う二丁掛けによって配管３２を接続して冷媒漏れが防止される。従って、開閉弁２０の配管接続時に２つの工具３５、３６を必要とし、作業性が悪い問題があった。
【００１０】
本発明は、配管接続の作業性を向上できる開閉弁及びそれを用いた空気調和機の室外機を提供することを目的とする。
【課題を解決するための手段】
【００１１】
上記目的を達成するために本発明は、被取付部に固定されるフランジ部と、一端に開口する第１開口部と他端に開口する第２開口部との間に屈曲した流路を形成して第１開口部及び第２開口部にそれぞれ配管が接続される本体部と、前記本体部内に配されて前記流路を開閉する可動の可動体とを備えた開閉弁において、前記フランジ部が前記本体部と一体に設けられるとともに前記被取付部に当接する設置面を一面に有し、第１開口部が前記設置面から突出して設けられるとともに、第２開口部に螺設して前記配管を固定するフレアナットの軸方向の中心線を前記設置面と同一面内に配置したことを特徴としている。
【００１２】
この構成によると、本体部と一体のフランジ部の設置面が被取付部に接してフランジ部が固定される。本体部内には第１開口部と第２開口部とを連通させる屈曲した流路が形成される。第１開口部は設置面から突出して設けられ、例えば、ロウ付等によって配管が接続される。第２開口部に螺設されるフレアナットをスパナ等の工具により締付け、第２開口部に配管が接続される。フレアナットの中心線は設置面と同一面内に配置されるため、締め付け時のフランジ部に対する本体部の傾倒が防止される。
【００１３】
また本発明の空気調和機の室外機は、上記構成の開閉弁と、内部に配された冷媒管を第１開口部に接続するとともに室内機から延伸される冷媒管を前記フレアナットにより第２開口部に接続することを特徴としている。
【００１４】
また本発明は、上記構成の空気調和機の室外機において、外装を形成するキャビネットを備えるとともに、前記被取付部が前記キャビネットの一面から脚部を有して突出して設けられ、前記フランジ部と前記フレアナットとの間に前記脚部を配するとより好ましい。この構成によると、フランジ部の設置面が室外機の外装を形成するキャビネットの一面から突出する被取付部に当接し、フレアナットが設置面から該一面側に突出する。被取付部の脚部はフランジ部とフレアナットとの間に配され、被取付部とフレアナットとの干渉が防止される。
【発明の効果】
【００１５】
本発明によると、開閉弁の本体部内に第１開口部と第２開口部とを連通させる屈曲した流路を形成し、該流路を開閉する可動体が設けられる。また、第１開口部が被取付部に取り付けられるフランジ部の設置面から突出して設けられ、第２開口部に螺設して配管を固定するフレアナットの軸方向の中心線がフランジ部の設置面と同一面内に配置される。これにより、フレアナットの締め付け時のフランジ部に対する本体部の傾倒が防止され、本体部の歪みによる冷媒漏れを防止することができる。従って、本体部を支持せずに１つの工具でフレアナットを締付けることができ、開閉弁の配管接続時の作業性を向上することができる。
【図面の簡単な説明】
【００１６】
【図１】本発明の実施形態の空気調和機の室外機を示す斜視図
【図２】本発明の実施形態の空気調和機の室外機の開閉弁を示す断面図
【図３】図２のＡ矢視図
【図４】図２のＢ矢視図
【図５】従来の開閉弁を示す正面図
【図６】図５のＣ矢視図
【発明を実施するための形態】
【００１７】
以下に本発明の実施形態について図面を参照して説明する。説明の便宜上、各図面において前述の図５、図６に示す従来例と同一の部分は同一の符号を付している。図１は一実施形態の空気調和機の室外機を示す斜視図である。室外機１は室外に配され、キャビネット１０により外装が形成される。キャビネット１０は底板（不図示）上に側板１２、前面板１３及び背面板（不図示）を立設し、上面を天板１４により被嵌して形成される。
【００１８】
一方の側板１２の下部にはカバー１８ａにより覆われた配管部１８が設けられる。配管部１８には冷媒の流入側及び流出側にそれぞれ開閉弁２０（図２参照）が取り付けられ、室内機から延伸された冷媒管から成る配管３２が接続される。
【００１９】
図２は配管部１８に設けられる開閉弁２０の断面図を示している。また、図３、図４は図２のＡ矢視図及びＢ矢視図を示している。尚、図３の左右方向が図１の上下方向になっている。開閉弁２０は三方弁から成り、四方に延びる略十字型の本体部２１を有している。本体部２１は隣接する二方向の端部に第１開口部２１ａ及び第２開口部２１ｂを開口し、本体部２１内には第１開口部２１ａと第２開口部２１ｂとを連通させる屈曲した流路２１ｅが形成される。
【００２０】
第１開口部２１ａには室外機１の内部に配された冷媒管から成る配管３１がロウ付等により接続される。第２開口部２１ｂには室内機から延伸される配管３２が第２開口部２１ｂに螺設したフレアナット２３により接続される。
【００２１】
室外機１の配管部１８（図１参照）には被取付部１９が形成される。被取付部１９は側板１２に絞り加工を施して形成され、四方から延びる脚部１９ａによって側板１２の外側に突出する。本体部２１の外面には対向する二方向に突出するフランジ部２２が設けられる。フランジ部２２の一面の設置面２２ａが被取付部１９に当接し、フランジ部２２に設けた貫通孔２２ｂを貫通するネジ３３が被取付部１９に螺合される。これにより、開閉弁２０が被取付部１９に取り付けられる。
【００２２】
第１開口部２１ａはフランジ部２２の設置面２２ａから図２において下方に突出して設けられる。第２開口部２１ｂの中心を通るフレアナット２３の軸方向の中心線２３ａはフランジ部２２の設置面２２ａと同一面内に配置される。このため、被取付部１９には本体部２１の一部が嵌まる開口部（不図示）が形成される。また、図２の左右方向において脚部１９ａはフランジ部２２とフレアナット２３との間に配される。これにより、フレアナット２３と被取付部１９との干渉を回避することができる。
【００２３】
本体部２１の内部には可動体２６が設けられる。可動体２６は六角レンチ等の工具により回動させることで開成位置２６ａと閉成位置２６ｂとの間を可動し、第１開口部２１ａと第２開口部２１ｂとの間の流路２１ｅを開閉する。可動体２６は第１開口部２１ａに対向する第３開口部２１ｃから挿入され、第３開口部２１ｃはキャップ２４を螺設して塞がれる。また、本体部２１の第２開口部２１ｂに対向する位置には真空引きを行うサービスポート２１ｄが開口し、キャップ２５を螺設して塞がれる。
【００２４】
上記構成の開閉弁２０において、第１開口部２１ａに室外機１の内部の配管３１がロウ付され、フランジ部２２がネジ３３により被取付部１９に取付けられる。そして、フレアナット２３をスパナ等の工具３５（図５参照）により締付け、室内機から延伸される配管３２が取り付けられる。可動体２６を六角レンチ等の工具（不図示）により回動させて第１開口部２１ａと第２開口部２１ｂとの間の流路２１ｅが開かれると、配管３１、３２内に開閉弁２０を介して冷媒が流通する。
【００２５】
本実施形態によると、開閉弁２０の本体部２１内に第１開口部２１ａと第２開口部２１ｂとを連通させる屈曲した流路２１ｅを形成し、流路２１ｅを開閉する可動体２６が設けられる。また、第１開口部２１ａが被取付部１９に取り付けられるフランジ部２２の設置面２２ａから突出して設けられ、第２開口部２１ｂに螺設して配管３２を固定するフレアナット２３の軸方向の中心線２３ａが設置面２２ａと同一面内に配置される。
【００２６】
これにより、フレアナット２３の締め付け時のフランジ部２２に対する本体部２１の傾倒が防止され、本体部２１の歪みによる冷媒漏れを防止することができる。従って、本体部２１を支持せずに１つの工具３５でフレアナット２３を締付けることができ、開閉弁２０の配管接続時の作業性を向上することができる。
【００２７】
また、脚部１９ａがフランジ部２２とフレアナット２３との間に配されるので、フレアナット２３と被取付部１９との干渉を回避することができる。尚、被取付部１９にフレアナット２３との干渉を回避する凹部を設けてもよい。
【００２８】
本実施形態において、三方弁から成る開閉弁２０について説明しているが、二方弁から成る開閉弁であってもよい。また、空気調和機の室外機１に設けられる開閉弁２０について説明しているが、冷蔵庫等の他の機器に設けられる開閉弁であってもよい。
【産業上の利用可能性】
【００２９】
本発明によると、二方弁や三方弁等の開閉弁を用いた空気調和機の室外機等に利用することができる。
【符号の説明】
【００３０】
１    室外機
１０    キャビネット
１１    底板
１２    側板
１３    前面板
１４    天板
１８    配管部
１９    被取付部
１９ａ  脚部
２０    開閉弁
２１    本体部
２１ａ  第１開口部
２１ｂ  第２開口部
２１ｃ  第３開口部
２１ｄ  サービスポート
２１ｅ  流路
２２    フランジ
２２ａ  設置面
２３    フレアナット
２４、２５  キャップ
２６    可動体
３１、３２  配管
３３    ネジ
３５、３６  工具
【図１】
2011099636.tif 000003
【図２】
2011099636.tif 000004
【図３】
2011099636.tif 000005
【図４】
2011099636.tif 000006
【図５】
2011099636.tif 000007
【図６】
2011099636.tif 000008